(57)【特許請求の範囲】
【請求項１】
河川に沿って配置され水位レベルを測定する複数の観測装置と、前記観測装置間の河川を挟む無線通信を介して送信される前記水位レベルを監視する監視装置とを有する河川監視システムであって、
前記観測装置は、
周期時間毎に、前記水位レベル及び前記無線通信に係る受信レベルを測定する測定手段と、
前記測定した水位レベルを前記監視装置に送信する送信手段と、
前記受信レベルが低下した場合であって、前記水位レベルが警戒水位レベルに達したとき、あるいは、前記周期時間毎の水位レベルに基づく水位変化速度が警戒速度に達したときに、前記周期時間毎の水位レベル及び受信レベルに基づいて次回に測定される予測受信レベルを算出し、次回の前記無線通信に係る送信レベルを、前記予測受信レベルを通信可能な受信レベルに上昇させる予測送信レベルに設定する送信レベル自動制御を開始する制御手段と、を有する河川監視システム。
【請求項２】
請求項１において、
前記警戒水位レベル、または、前記警戒速度は、前記複数の観測装置それぞれについて設定され、
前記水位レベルの上昇に対応する前記受信レベルの低下度合いが第１の観測装置より大きい第２の観測装置の前記警戒水位レベルまたは前記警戒速度は、前記第１の観測装置の前記警戒水位レベルまたは前記警戒速度よりも低い値に設定される河川監視システム。
【請求項３】
請求項１または２において、
前記制御手段は、前記送信レベル自動制御において、
前記予測送信レベルが限界送信レベルを超える場合、前記送信レベルをあげる代わりに、水位レベル欠測警告を前記監視装置に通知させる河川監視システム。
【請求項４】
河川近辺に配置され水位レベルを測定する複数の観測装置から、前記観測装置間の河川を挟む無線通信を介して送信される前記水位レベルを監視する河川監視処理をコンピュータに実行させるコンピュータ読み取り可能な河川監視プログラムであって、
前記河川監視処理は、
前記観測装置から、当該観測装置において周期時間毎に測定される前記水位レベル及び前記無線通信に係る受信レベルとを受信する受信工程と、
前記受信レベルが低下した場合であって、前記水位レベルが警戒水位レベルに達したとき、あるいは、前記周期時間毎の水位レベルに基づく水位変化速度が警戒速度に達したときに、前記周期時間毎の水位レベル及び受信レベルに基づいて次回に測定される予測受信レベルを算出し、前記観測装置の無線通信に係る送信レベルを、前記予測受信レベルを通信可能な受信レベルに上昇させる予測送信レベルに設定させる送信レベル自動制御を開始する制御工程と、を有する河川監視プログラム。
【請求項５】
河川近辺に配置され水位レベルを測定する複数の観測装置から、前記観測装置間の河川を挟む無線通信を介して送信される前記水位レベルを監視する河川監視方法であって、
前記観測装置から、当該観測装置において周期時間毎に測定される前記水位レベル及び前記無線通信に係る受信レベルとを受信する受信工程と、
前記受信レベルが低下した場合であって、前記水位レベルが警戒水位レベルに達したとき、あるいは、前記周期時間毎の水位レベルに基づく水位変化速度が警戒速度に達したときに、前記周期時間毎の水位レベル及び受信レベルに基づいて次回に測定される予測受信レベルを算出し、前記観測装置の無線通信に係る送信レベルを、前記予測受信レベルを通信可能な受信レベルに上昇させる予測送信レベルに設定させる送信レベル自動制御を開始
する制御工程と、を有する河川監視方法。
【発明の詳細な説明】
【技術分野】
【０００１】
本発明は、河川監視システム、河川監視プログラム、及び、河川監視方法に関する。
【背景技術】
【０００２】
従来から、河川の急激な増水時における堤防の越流の危険性を早期に検知し、住民の避難活動を支援することを目的とする河川監視システムが知られている。河川監視システムは、河川沿いに配置された多数の観測装置から無線送信される水位情報を監視装置によって受信し、河川の水位変化を監視するシステムである。
【０００３】
河川監視システムにおいて、各観測装置の水位情報は、直接、あるいは、１つまたは複数の観測装置を経由して無線通信によって中継装置に送信され、さらに、中継装置から例えば、有線通信によって監視装置に送信される。観測装置は、水位情報の観測を目的とするため河川沿いに設置されることが多い。そのため、観測装置と中継装置間の無線通信経路には、河川を挟む観測装置間の通信経路が含まれることがある。
【０００４】
観測装置の無線通信の受信レベルは、観測装置の環境の変化に応じて低下することがある。例えば、観測装置のフレネルゾーンに、河川の水位上昇や植樹等の遮蔽物が発生した場合、観測装置の受信レベルが低下する。このため、特に河川を挟む通信経路を有する観測装置の受信レベルは、水位上昇による受信レベルの低下が発生しやすい。受信レベルが低下すると無線通信が適切に行えなくなることにより、観測装置から監視装置への水位情報の送信に失敗し、当該観測装置の水位情報が欠測してしまう。
【０００５】
このように、環境変化によって受信レベルが低下した場合、人手により、送信レベルを高くすることで無線通信の接続状態に復旧される。このため、観測装置の通常時の送信レベルは、一般的に、受信レベルの低下時に送信レベルを上げられるように最小値に設定される。また、観測装置の電源は、商用電源による供給が困難であることにより、例えば、バッテリィ（太陽光パネルによる充電）によって供給される。送信レベルが最小値に設定されることにより、観測装置の消費電力も最小限に抑えられる。
【０００６】
無線通信の送信レベルの制御については、例えば、特許文献１に記載される。
【先行技術文献】
【特許文献】
【０００７】
【特許文献１】特開２００２−１２４９０９号公報
【発明の概要】
【発明が解決しようとする課題】
【０００８】
近年、集中豪雨（ゲリラ豪雨）が多発している。これにより、河川の水面の上昇が多発し、受信レベルの低下による水位情報の欠測が頻発する場合がある。また、決め細かいメッシュ（距離・面積）での水位の監視を実現するために観測装置の配置密度を高くする場合、観測装置数の増加に伴い、欠測の発生頻度も増加する。このように欠測が頻発する場合、観測装置における人手による送信レベルの変更は効率的ではない。しかしながら、観測装置の送信レベルを予め高い値に設定しておくことは、観測装置の消費電力を増加させることになり、適切ではない。
【０００９】
本発明は、水位上昇に伴う水位情報の欠測を防止する河川監視システム、河川監視プログラム、河川監視方法を提供することにある。
【課題を解決するための手段】
【００１０】
第１の側面は、河川に沿って配置され水位レベルを測定する複数の観測装置と、前記観測装置間の河川を挟む無線通信を介して送信される前記水位レベルを監視する監視装置とを有する河川監視システムであって、前記観測装置は、周期時間毎に、前記水位レベル及び前記無線通信に係る受信レベルを測定する測定手段と、前記測定した水位レベルを前記監視装置に送信する送信手段と、前記受信レベルが低下した場合であって、前記水位レベルが警戒水位レベルに達したとき、あるいは、前記周期時間毎の水位レベルに基づく水位変化速度が警戒速度に達したときに、前記周期時間毎の水位レベル及び受信レベルに基づいて次回に測定される予測受信レベルを算出し、次回の前記無線通信に係る送信レベルを、前記予測受信レベルを通信可能な受信レベルに上昇させる予測送信レベルに設定する送信レベル自動制御を開始する制御手段と、を有する。
【発明の効果】
【００１１】
第１の側面によれば、水位上昇に伴う水位情報の欠測が防止される。
【図面の簡単な説明】
【００１２】
【図１】本実施の形態例における河川監視システムの構成を示す例図である。
【図２】図１で示した観測置及び中継装置の配置の一例を表す図である。
【図３】監視装置による各観測装置の水位レベルの収集処理の流れについて説明する例図である。
【図４】水位レベル上昇時の測定水位レベルと送信レベルの設定値の例を説明する図である。
【図５】水位上昇時における受信レベルと送信レベルの対応関係の一例を示す図である。
【図６】本実施の形態例における自動送信レベル制御の流れを説明する例図である。
【図７】本実施の形態例における監視装置、及び、観測装置の構成の一例を示す図である。
【図８】本実施の形態例における監視装置の処理を説明するフローチャート図である。
【図９】警告水位、警告変化速度の観測装置による相違について説明する例図である。
【図１０】観測装置における予測受信レベルの具体例について説明する図である。
【発明を実施するための形態】
【００１３】
以下、図面にしたがって本発明の実施の形態について説明する。ただし、本発明の技術的範囲はこれらの実施の形態に限定されず、特許請求の範囲に記載された事項とその均等物まで及ぶものである。
【００１４】
［河川監視システム］
図１は、本実施の形態例における河川監視システムの構成を示す例図である。河川監視システムは、河川の急激な増水時における堤防の越流の危険性を早期に検知し、住民の避難活動を支援するシステムである。河川監視システムは、河川に沿って配置された多数の観測装置１０−１〜１０−６から無線送信される水位レベルを監視装置３０によって監視する。水位レベルとは水位の情報であり、例えば、水位の値や、当該水位の値が特定の値を超えていることを示す情報や、当該水位の値が属する範囲レベル等を示す。
【００１５】
本実施の形態例における河川監視システムは、例えば、複数の観測装置１０−１〜１０−６（観測装置１０）と、中継装置２０−１、２０−２（中継装置２０）と、監視装置３０とを有する。観測装置１０は、例えば、河川に沿って設置され、周期時間毎に河川の水位レベルを測定する。そして、測定した水位レベルを、中継装置２０を介して監視装置３０に送信する。中継装置２０は、複数の観測装置１０と無線通信を介して接続される。また、中継装置２０は、各観測装置１０に水位レベルの送信を指示すると共に、各観測装置１０から送信される水位レベルを受信し、例えば、有線の通信を介して接続される監視装置３０に、受信した水位情報を送信する。
【００１６】
監視装置３０は、中継装置２０から送信された各観測装置１０の水位レベルに基づいて、河川の水位変移を監視する。そして、監視装置３０にて、河川水位の一過性の急激な上昇が検知されるとき、監視者は、例えば、地域の住民に対して避難勧告を通知する。
【００１７】
なお、本実施の形態例の河川監視システムは中継装置２０を有するが、中継装置２０は必ずしも必須ではない。観測装置１０は、監視装置３０に直接、水位レベルを送信してもよい。本実施の形態例では、中継装置２０を有することによって、監視装置３０は、より遠い位置に配置された観測装置１０の水位レベルを監視できる。
【００１８】
続いて、本実施の形態例における河川監視システムの観測装置１０及び中継装置２０の設置例を河川と対応させて説明する。
【００１９】
図２は、図１で示した各観測置１０及び中継装置２０の配置の一例を表す図である。同図では、２つの中継装置２０−１、２０−２と、６つの観測装置１０−１〜１０−６の配置例が表される。
【００２０】
観測装置１０−１〜１０−６は、通常、河川１００に沿って配置される。また、中継装置２０は、監視装置３０と有線によって通信可能な場所に配置される。本実施の形態例では、観測装置１０と中継装置２０の通信は、アドホック通信が利用される。このため、各観測装置１０は、例えば、５００ｍ程度の間隔をおいて配置される。アドホック通信を利用する場合、観測装置１０で測定された水位レベルは、選択された通信経路に従って、直接または他の観測装置１０を経由し中継装置２０に送信される。
【００２１】
例えば、観測装置１０−１の水位レベルは観測装置１０−２、観測装置１０−４を経由して、中継装置２０−１に送信される。また、例えば、観測装置１０−３の水位レベルは観測装置１０−４を経由して、中継装置２０−１に送信される。観測装置１０−４の水位レベルは直接、中継装置２０−１に送信される。他の観測装置１０−５、１０−６についても同様にして、直接、または他の観測装置１０を介して、水位レベルを中継装置２０−２に送信する。
【００２２】
なお、図２では、アドホック通信を利用する場合の通信経路の一例を示したが、中継装置２０と観測装置１０の間は、アドホック通信が利用される場合に限らない。例えば、観測装置１０は、それぞれ、他の観測装置１０を介することなく、直接、中継装置２０と通信処理を行ってもよい。
【００２３】
［水位情報の欠測］
本実施の形態例では、観測装置１０は、例えば、１０分間隔等の周期時間毎に水位レベルを測定する。観測装置１０は、中継装置２０からの送信指示に応答して、測定した水位レベルを中継装置２０に送信する。ところが、観測装置１０の水位レベルの送信処理は、観測装置１０が配置された環境の変化等を要因として無線通信に係る受信レベルが低下し、失敗することがある。この場合、観測装置１０の水位レベルが監視装置３０に送信されず、当該観測装置１０の水位レベルの欠測が発生する。
【００２４】
環境の変化とは、例えば、植樹の繁茂や、河川１００の水位変動である。無線通信におけるフレネルゾーンに、環境変化によって遮蔽物が発生すると、無線通信に係る受信レベルが低下することがある。具体的に、例えば、季節が移り変わって観測装置１０の周囲の植樹が繁茂し、遮蔽物となる。同様にして、観測装置１０が河川１００付近に配置される場合、河川１００の上昇した水が遮蔽物となる。
【００２５】
例えば、図２における観測装置１０−３と観測装置１０−４間の通信経路のように河川１００を挟む通信経路の場合、河川１００の水が遮蔽物となり、受信レベルは水位変動による影響を受けて低下しやすい。これに対して、図２の観測装置１０−２と観測装置１０−４間の通信ように、河川１００を挟まない通信経路の場合、受信レベルは河川１００の水位変動による影響を受け難い。
【００２６】
具体的に、水位上昇により、観測装置１０−３と観測装置１０−４間の通信に係る受信レベルが、適切な通信が行えないレベルまで低下した場合、観測装置１０−３の水位レベルの欠測が発生する。また、この場合、図示していないが、観測装置１０−３を経由して中継装置２０に水位レベルを送信する観測装置１０があった場合、当該観測装置１０の水位レベルについても欠測することになる。
【００２７】
なお、観測装置１０の受信レベルは、設置位置によっても影響を受ける。観測装置１０の設置位置とは、例えば、観測装置１０の河川１００の水面からの高さや、河川１００からの距離、観測装置１０が河川１００を挟む場合における河川１００に対する設置角度等である。例えば、観測装置１０が低い位置に設定された場合、高い位置に設置された場合に対して、水位の上昇による影響を受けやすい。
【００２８】
このように、環境の変化によって、観測装置１０の無線通信に係る受信レベルが低下し、当該観測装置１０の水位レベルの欠測が発生することがある。水位レベルが欠測すると、監視装置３０は、河川１００の水位変化を適切に監視することができない。このため、通信対象の観測装置１０の送信レベルが引き上げられることによって、受信レベルが通信可能なレベルまで上昇され、以降の欠測が防止される。
【００２９】
ここで、監視装置３０による、各観測装置１０の水位レベルの収集処理の流れについて説明する。
【００３０】
［水位情報の収集処理の流れ］
図３は、監視装置３０による、各観測装置１０の水位レベルの収集処理の流れについて説明する例図である。この例において、中継装置２０は、一定の周期毎に、収集対象の観測装置１０に対して、水位レベルの送信指示を通知する。具体的に、中継装置２０−１は、当該中継装置２０−１が対象とする観測装置１０−１〜１０−４に対して、測定水位レベルの送信指示ｑ１を通知する。各観測装置１０−１〜１０−４は、水位レベルの送信指示ｑ１を受けて、測定した水位レベルｐ１−１〜ｐ１−４を中継装置２０−１にそれぞれ送信する。続いて、中継装置２０−１は、受信した各観測装置１０−１〜１０−４の水位レベルｐ１−１〜ｐ１−４を監視装置３０に送信する。この一連の処理が、例えば、１０分間隔等の周期時間毎に行われる。
【００３１】
このため、１０分後、中継装置２０−１は、観測装置１０−１〜１０−４に、測定水位レベルの送信指示ｑ２を通知し、各観測装置１０−１〜１０−４は、測定した水位レベルｐ２−１〜ｐ２−４を中継装置２０−１にそれぞれ送信する。例えば、観測装置１０−３と観測装置１０−４間の受信レベルが低下している場合、送信指示ｑ２が観測装置１０−３に到達しない。または、観測装置１０−３の水位レベルｐ２−３が観測装置１０−４に到達せず、欠測が発生する。
【００３２】
続いて、水位上昇時における水位レベルと送信レベルの具体例について説明する。
【００３３】
［水位レベルの上昇時における送信レベル制御］
図４は、水位レベルが上昇を続ける場合における、測定水位レベルと送信レベルの設定値の例を説明する例図である。同図の表ＴＢでは、３つの観測装置１０−１〜１０−３の例が示される。各観測装置１０−１〜１０−３は、図１、図２における各観測装置１０−１〜１０−３に対応する。この例において、１０分間隔に水位レベルが測定される。本実施の形態例では、水位レベルとして水位値が測定される。ただし、この例に限定されるものではなく、水位レベルは、例えば、水位値が属する範囲レベル等であってもよい。また、各観測装置１０−１〜１０−３の送信レベルは、初め、最小値である１ｍＷに設定される。
【００３４】
この例において、図２で前述したとおり、観測装置１０−１は、観測装置１０−２及び観測装置１０−４を経由して、中継装置２０−１に水位レベルを送信する。また、観測装置１０−２は、観測装置１０−４を経由して中継装置２０−１に水位レベルを送信する。そして、観測装置１０−３は、観測装置１０−４を経由して中継装置２０−１に水位レベルを送信する。観測装置１０−３と観測装置１０−４の通信経路は河川を挟むことから、通信処理は河川の水位上昇による影響を受けやすい。一方、観測装置１０−１と観測装置１０−２間、観測装置１０−２と観測装置１０−４間の通信経路は河川を挟まないため、河川の水位上昇による影響を受けにくい。また、各観測装置１０−１〜１０−３は設置位置が異なることにより、同時刻であっても測定される水位レベルは異なる。
【００３５】
図４の表ＴＢによると、観測装置１０−１と観測装置１０−２による測定水位レベルは、約３ｍ前半から３ｍ後半の値まで、緩やかな上昇を続ける。観測装置１０−１、１０−２の通信経路は河川の水位上昇の影響を受けにくいため、河川の水位レベルが高い場合であっても、観測装置１０−１、１０−２の受信レベルは通信可能なレベルに維持される。このため、観測装置１０−１、１０−２の送信レベルは最小値１ｍＷのまま変更されない。
【００３６】
一方、観測装置１０−３で観測される水位レベルは、約１ｍから３ｍ半ばの値まで大きく上昇を続ける。表ＴＢによると、時刻１０：４０：００に、観測装置１０−３の水位レベルが欠測する。これは、水位の上昇により観測装置１０−３、１０−４間の通信の受信レベルが低下したことにより、観測装置１０−３の水位レベルが監視装置３０に到達しなかったためである。このように、河川を挟む観測装置１０−３、１０−４間の通信処理では、水位上昇の影響によって欠測が発生し易い。
【００３７】
時刻１０：４０：００の水位レベルの欠測により、時刻１０：５０：００に、観測装置１０−３、観測装置１０−４の送信レベルが１．０ｍｗから４．０ｍＷまで引き上げられる（Ａ１）。送信レベルの引き上げにより、観測装置１０−３、観測装置１０−４間の通信に係る受信レベルが通信可能な受信レベルに上昇する。これにより、再び、観測装置１０−３と観測装置１０−４間の送受信が可能になり、観測装置１０−３の水位レベルが監視装置３０に送信される。
【００３８】
しかし、河川の水位が上昇を続けることにより、受信レベルが低下し、時刻１１：２０：００に再び欠測が発生する。同様にして、送信レベルが４．０ｍｗから７．０ｍＷまで引き上げられ（Ａ２）、観測装置１０−３と観測装置１０−４間の送受信が可能となる。このように、観測装置１０の送信レベルが引き上げられることにより、欠測の再発が防止されるが、継続して水位が上昇する場合、再び、受信レベルが低下し水位レベルの欠測が発生してしまう。
【００３９】
続いて、図４で説明した観測装置１０−３の送信レベルの制御について、受信レベルの変移と対応させて説明する。
【００４０】
［水位上昇時における受信レベルと送信レベル］
図５は、水位上昇時における観測装置１０−３の受信レベルと送信レベルの対応関係の一例を示す図である。同図は、図４の表ＴＢにおける観測装置１０−３の一部の情報を抜粋した表ＴＢ１と、表ＴＢ１に対応する受信レベルと送信レベルの対応関係を示す変移図Ｇ１を表す。
【００４１】
変移図Ｇ１において、横軸は時間、左の縦軸は送信レベルを、右の縦軸は受信レベルを示す。また、同図における時刻ｔ１、ｔ２、ｔ３は送信レベルの変更時刻を示す。また、変移線ＬＳは送信レベルの変移を、変移線ＬＲは受信レベルの変移を示す。そして、値ＳＸは送信レベルの最大値１０ｍＷを、値ＲＸは通信が適切に行えない受信レベルを示す。なお、前述したとおり、送信レベルは初め、１ｍＷに設定される。
【００４２】
変移図Ｇ１に図示していないが、表ＴＢ１に示すとおり、時刻ｔ０から時刻ｔ３にかけて、観測装置１０−３で測定される水位は継続して上昇を続ける。時刻ｔ０において、受信レベルは、通信が適切に行える値に維持されているが、時刻ｔ１にかけて、水位が上昇するに連れて、観測装置１０−３、観測装置１０−４間の通信に係る受信レベルが低下し受信レベルＲＸに達する。これにより、時刻１０：４０：００において（図４）、観測装置１０−３の水位レベルが欠測して、時刻ｔ１において送信レベルが１ｍＷから４ｍＷに引き上げられる（Ａ１）。
【００４３】
送信レベルの引き上げ（Ａ１）により、時刻ｔ１において、受信レベルが適切に通信可能なレベルに上昇する。これにより、水位レベルが監視装置３０に送信される。しかし、継続して水位が上昇することにより、時刻ｔ１から受信レベルが徐々に低下し、時刻ｔ２の直前で、再び欠測が発生する。そこで、時刻ｔ２において、送信レベルを４ｍＷから７ｍＷに引き上げられ（Ａ２）、受信レベルが適切に接続可能なレベルに上昇する。
【００４４】
同様にして、継続して水位が上昇した場合、時刻ｔ３の直前で再び欠測が発生し、時刻ｔ３において、送信レベルを最大値である１０ｍＷに引き上げられる（Ａ３）。そして、さらに水位が上昇し、時刻ｔ３から受信レベルが低下した場合、既に送信レベルは最大値まで引き上げられているため、送信レベルの引き上げが行われない。このように、送信レベルが最大値に達し、送信レベルを引き上げることができない場合については、欠測が避けられない。
【００４５】
図４、５で説明してきたように、観測装置１０の通信経路、及び、設置位置によって、水位の上昇の影響を受けて受信レベルが低下することがあり、観測装置１０で測定された水位レベルの欠測が発生する。このため、河川監視システムは、河川の水位上昇を監視し事前に危険を検知するためのシステムであるにも関わらず、水位の上昇に因って水位レベルの欠測が発生し、水位の監視を適切に行うことができない。
【００４６】
そこで、本実施の形態例における河川監視システムにおける観測装置は、周期時間毎に、水位レベル及び無線通信に係る受信レベルを測定する測定手段と、測定した水位レベルを監視装置に送信する送信手段と、制御手段とを有する。
【００４７】
制御手段は、受信レベルが低下した場合であって、水位レベルが警戒水位レベルに達したとき、あるいは、周期時間毎の水位レベルに基づく水位変化速度が警戒速度に達したときに、送信レベル自動制御を開始する。送信レベル自動制御において、制御手段は、周期時間毎の水位レベル及び受信レベルに基づいて次回に測定される予測受信レベルを算出し、次回の無線通信に係る送信レベルを、予測受信レベルを通信可能な受信レベルに上昇させる予測送信レベルに設定する送信レベル自動制御を開始する。
【００４８】
これにより、従来は、観測装置１０における送信レベルの変更は人手によって行われていたが、欠測を回避する送信レベルの自動制御が行われることにより、効率的に、欠測の発生が回避される。また、送信レベルの自動制御は、受信レベルが低下し、一過性の急激な水位上昇を測定した観測装置１０について行われる。これにより、自動制御が必要な観測装置１０について、自動制御が必要なタイミングから自動制御が行われるため、欠測の発生が的確に防止されると共に、消費電力が抑えられる。
【００４９】
続いて、本実施の形態例における送信レベルの制御の概要について説明する。
【００５０】
［本実施の形態例における送信レベル制御の流れ］
図６は、本実施の形態例における観測装置１０−３の自動送信レベル制御の流れを説明する例図である。中継装置２０−１は、観測装置１０−１〜１０−４の水位レベルを収集対象とするが、この図では、観測装置１０−１、１０−３について抜粋して表す。前述したとおり、観測装置１０−１は水位の上昇によって受信レベルが低下し難く、観測装置１０−３は、図４、５で示したとおり、水位の上昇によって受信レベルが低下しやすい。
【００５１】
本実施の形態例では、監視装置３０は、受信レベルが低下した場合であって、例えば、水位レベルが警戒水位に達したときに、観測装置１０に送信レベルの自動制御を開始させる。図６の例において、観測装置１０−３について、例えば、水位レベルｐ１−３の送信後に、送信レベル自動制御が開始される（Ｂ１）。
【００５２】
送信レベル自動制御が開始されると、監視装置３０は、測定された水位レベル及び受信レベルに基づいて、次回に測定される受信レベル（予測受信レベル）を予測し、予測受信レベルが接続可能な受信レベルに上昇するように、観測装置１０−３に送信レベルを予め上昇させる（Ｂ２）。これにより、次回の観測装置１０−３の通信時まで水位が継続して上昇を続けた場合でも、水位の上昇時の受信レベルの低下度合いを予め加味して送信レベルが引き上げられることにより、当該観測装置の送信処理が適切に行われる。この結果、次回の通信ｑ２、ｐ２−３における通信処理の失敗が防止され、欠測が防止される。
【００５３】
同様にして、監視装置３０は、水位レベルがさらに上昇を続け、受信レベルが低下する場合、観測装置１０−３に送信レベルを上昇させておく（Ｂ３）。ただし、引き上げようとする送信レベルが限界送信レベル（この例では、１０ｍＷ）を超える場合、本実施の形態例における監視装置３０は、送信レベルを引き上げる代わりに、水位レベル欠測警告を通知する。これにより、水位上昇が継続し、次回の水位レベルの送信処理の失敗が予測される場合、事前に欠測の通知を行うことによって、欠測前の対処を可能にする。
【００５４】
続いて、本実施の形態例における観測装置１０及び監視装置３０の構成について説明した上で、監視装置３０の処理の流れについてフローチャート図に基づいて説明する。
【００５５】
図７は、本実施の形態例における観測装置１０及び監視装置３０の構成の一例を示す図である。
【００５６】
［観測装置１０の構成］
本実施の形態例における観測装置１０は、例えば、水位情報取得部１１、受信レベル取得部１２、水位情報データベース（以下、ＤＢ）１３、受信レベルＤＢ１４を有する。水位情報取得部１１は、周期時間毎に、水位レベルを測定し水位情報ＤＢ１３に格納する。受信レベル取得部１２も同様にして、周期時間毎に受信レベルを測定し受信レベルＤＢ１４に格納する。そして、観測装置１０は、測定された水位レベル及び受信レベルを中継装置２０からの送信指示に応答して、中継装置２０に送信する。中継装置２０は、各観測装置１０から送信された水位レベル及び受信レベルを監視装置３０に送信する。
【００５７】
［監視装置３０の構成］
本実施の形態例における監視装置３０は、例えば、水位上昇時受信レベル変化値取得部３１、予測受信レベル取得部３２、予測送信レベル取得部３３、限界送信レベル判定部３４、警告通知部３５を有する。また、本実施の形態例における監視装置３０は、水位上昇時受信レベル情報ＤＢ４２、予測送信レベルＤＢ４３、送受信レベルＤＢ４１を有する。水位上昇時受信レベル情報ＤＢ４２、予測送信レベルＤＢ４３は、各観測装置１０における水位上昇時受信レベル変化値や予測送信レベル等が蓄積されるＤＢである。これに対し、送受信レベルＤＢ４１には、各観測装置１０の予測受信レベルと予測送信レベルの対応関係が、予め、格納される。
【００５８】
水位上昇時受信レベル取得部１２は、各観測装置１０について、当該観測装置１０から送信された前回と今回の水位レベル及び受信レベルに基づいて、継続して水位レベルが上昇した場合の次回までの受信レベル変化値、即ち、水位上昇時受信レベル変化値を算出し、水位上昇時受信レベル情報ＤＢ４２に格納する。また、予測受信レベル取得部３２は、各観測装置１０について、水位上昇時受信レベル情報ＤＢ４２に格納された水位上昇時受信レベル変化値に基づいて、次回、測定されることが予測される予測受信レベルを算出し、水位上昇時受信レベル情報ＤＢ４２に格納する。
【００５９】
そして、予測送信レベル取得部３３は、送受信レベルＤＢ４１を参照して、予測受信レベルが受信可能なレベルに上昇するような予測送信レベルを取得し、予測送信レベルＤＢ４３に格納する。限界送信レベル判定部３４は、取得された予測送信レベルが、限界送信レベルを超えるか否かを判定する。そして、超える場合、警告通知部３５は、次回の送信時に通信が適切に行われず、水位レベルが欠測する可能性があるとして警告を通知する。
【００６０】
続いて、監視装置３０の処理の流れについて説明する。なお、この例では、監視装置３０が送信レベル自動制御を行う例について記載されているが、送信レベル自動制御は中継装置２０や観測装置１０によって行われてもよい。
【００６１】
［監視装置３０の処理の流れ］
図８は、本実施の形態例における監視装置３０の処理の流れについて説明するフローチャート図である。本実施の形態例では、監視装置３０は、中継装置２０から、各観測装置１０で周期時間毎に測定された水位レベルと受信レベルとを受信し、必要に応じて送信レベルの制御指示及び警告通知を行う。
【００６２】
監視装置３０は、水位レベル及び受信レベルを受信し、受信レベルが低下した観測装置１０について（Ｓ１０のＹＥＳ）、水位レベルが上昇したか否かの判定を行う（Ｓ１１）。水位レベルが上昇している場合（Ｓ１１のＹＥＳ）、続いて、監視装置３０は、水位レベルが警戒水位レベルに達したか否かを判定する（Ｓ１２）。警戒水位レベルに達する場合（Ｓ１２のＹＥＳ）、一過性の水位の急激な上昇が発生していると判定される。そこで、水位レベルが警戒水位レベルに達した観測装置１０について、送信レベル自動制御が開始される。送信レベル自動制御の工程は、工程Ｓ１３〜工程Ｓ１８に対応する。
【００６３】
なお、工程Ｓ１２について、監視装置３０は、水位レベルが警戒水位レベルに達したか否かの判定の代わりに、水位レベルの変化速度が警戒速度に達したか否かを判定してもよい。または、監視装置３０は、両方の判定を行い、いずれかの警戒値に達した場合に、送信レベル自動制御を開始してもよい。また、送信レベル自動制御が開始された場合、例えば、各観測装置１０における測定の周期時間が、１０分間隔から１分間隔等に短く変更されてもよい。
【００６４】
［警告水位、警告速度］
具体的に、警戒水位レベルは河川水位の急激な変化を検知するための水位の閾値である。また、警戒速度も同様にして、河川水位の急激な変化を検知するための水位の変化速度の閾値である。水位の変化速度は、例えば、直近の周期時間毎の水位の変化量に基づいて、水位変化量が対応する時間によって除算されることにより算出される。本実施の形態例では、警戒水位レベル及び警戒速度は、観測装置１０それぞれについて設定される。前述したとおり、河川の水位上昇時の受信レベルへの低下度合いは、観測装置１０の設置位置や通信経路等によって異なる。このため、本実施の形態例において、水位レベルの上昇に対応する受信レベルの低下度合いが大きい観測装置１０の警戒水位、または、警戒速度は、低下度合いの小さい観測装置１０よりも低い値に設定される。
【００６５】
これにより、水位上昇に対する受信レベルの低下度合いが大きく、その影響を受けやすい観測装置１０では、他の観測装置１０よりも、より低い水位、または、より小さい水位変化速度に達したときに送信レベルの自動制御が開始される。このため、河川の水位の上昇時、受信レベルの低下度合いが大きい観測装置１０であっても、早いタイミングから送信レベルが自動制御されることにより、水位レベルの欠測が防止される。
【００６６】
一方、水位上昇に対する受信レベルの低下度合いが低く、その影響を受けにくい観測装置１０では、低下度合いの大きい観測装置１０よりも、高い水位レベル、または、高い水位変化速度に達したときに、送信レベルの自動制御が開始される。このため、河川の水位の上昇時の受信レベルの低下度合いが小さい観測装置１０については、送信レベル自動制御の開始が遅らせられ、その間、送信レベルの引き上げが行われないことにより消費電力が抑えられる。
【００６７】
［警告水位、警告速度の相違］
ここで、観測装置１０による警戒水位レベル、警戒速度の相違について、図に基づいて説明する。
【００６８】
図９は、警告水位、警告速度の観測装置１０による相違について説明する例図である。同図において、横軸は、水位レベルまたは水位変化速度を示し、縦軸は受信レベルを示す。また、変移特性Ｃ１は観測装置１０−１の特性を、変移特性Ｃ３は観測装置１０−３の特性を示す。
【００６９】
図９において、観測装置１０−３の変移特性Ｃ３によると、観測装置１０−１の変移特性Ｃ１に対して、水位レベル、または水位変化速度の上昇に対応して、受信レベルの低下度合いが大きい。即ち、観測装置１０−３の受信レベルは、水位が上昇するに連れて、観測装置１０−１よりも低下しやすい。このため、例えば、観測装置１０−３の警戒水位、及び、警戒速度は、観測装置１０−１の警戒水位より低い値Ｄ３に設定される。一方、観測装置１０−１の警戒水位、及び、警戒速度は、高めの値Ｄ１に設定される。
【００７０】
つまり、観測装置１０−１、１０−３において、同じ水位が測定された場合であっても、観測装置１０−３は送信レベル自動制御が開始されるのに対し、観測装置１０−１では開始されない。これにより、観測装置１０−３の送信レベルは、より早いタイミングから自動制御されるため、受信レベルの低下の度合いが大きくても受信レベルが通信可能なレベルに維持される。一方、水位上昇による受信レベルへの低下度合いが低い観測装置１０−１については、受信レベルの低下の度合いが小さいことから、送信レベル自動制御は開始されない。このように、送信レベル自動制御が開始される必要のない観測装置１０−１については自動制御が開始されず、消費電力が抑えられる。
【００７１】
このように、各観測装置の水位変化に因る受信レベルへの低下度合いによって、送信レベル自動制御が開始される警戒値（警戒水位、警戒速度）がそれぞれ設定される。これにより、送信レベルの自動制御が必要な観測装置についてのみ、当該自動制御が必要なタイミングから開始され、水位の欠測が回避されると共に、消費電力が抑えられる。
【００７２】
図８のフローチャート図に戻り、続いて、監視装置３０の水位上昇時受信レベル変化値取得部３１は、前回と今回の水位レベル及び受信レベルに基づいて、水位が上昇を続けた場合における次回の受信レベルの変化値、即ち、水位上昇時受信レベル変化値を算出する（Ｓ１３）。算出された水位上昇時受信レベル変化値は、水位上昇時受信レベル情報ＤＢ４２に格納される。具体的に、水位上昇時受信レベル変化値取得部３１は、前回と今回の水位レベルの変化量を算出し、当該変化量に対応する受信レベルの低下度合いを、水位上昇時受信レベル変化値として算出する。
【００７３】
続いて、監視装置３０の予測受信レベル取得部３２は、水位上昇時受信レベル情報ＤＢ４２に格納された水位上昇時受信レベル変化値に基づいて、次回に測定されることが予測される予測受信レベルを算出し、水位上昇時受信レベル情報ＤＢ４２に格納する（Ｓ１４）。具体的に、予測受信レベル取得部３２は、今回測定された受信レベルと、水位上昇時受信レベル変化値とを演算することによって、予測受信レベルを算出する。
【００７４】
［予測受信レベル値の算出］
図１０は、観測装置１０における予測受信レベルの具体例について説明する図である。同図において、横軸は時間、左の縦軸は受信レベルを、右の縦軸は水位を表す。また、同図における時刻ｔ１０〜ｔ１４は、周期時間毎の時刻を示す。同図において、変移線ＬＷは水位の変移を、変移線ＬＲは受信レベルの変移を示す。なお、各変移線ＬＷ、ＬＲの点線部分は予測される変移を示す。また、値ＲＸは、適切に通信が行えない受信レベルを示し、値ＷＸは警戒水位を示す。
【００７５】
図１０において、変移線ＬＷの示すとおり、時刻ｔ１０からｔ１３にかけて水位が上昇する。水位の上昇にも関わらず、時刻ｔ１０から時刻ｔ１２にかけて、変移線ＬＲの示すとおり、受信レベルｒ１２は通信可能なレベルに維持される。続いて、時刻ｔ１２から時刻ｔ１３にかけて継続して水位が上昇し、受信レベルがレベルｒ１２からレベルｒ１３まで低下する。ただし、時刻ｔ１３において、受信レベルは、通信が適切に行えない受信レベルＲＸまでは低下していない。
【００７６】
そして、時刻ｔ１３において、測定された水位レベルが警戒水位レベルＷＸに達し、送信レベル自動制御が開始される。これにより、前回と今回の水位レベル、即ち、時刻ｔ１２と時刻ｔ１３の水位レベルに基づいて、水位の変移線ＬＷの点線部分に示されるような水位の変化が予測される。続いて、水位レベルの変化予測、及び、時刻ｔ１２と時刻ｔ１３の受信レベルに基づいて、次回までの受信レベル変化値、即ち、水位上昇時受信レベル変化値ｒｖが算出される。そして、例えば、時刻ｔ１３の受信レベルｒ１３から算出された水位上昇時受信レベル変化値ｒｖが減算され、時刻ｔ１４に測定されることが予測される予測受信レベルｒ１４が算出される。このように、前回と今回の受信レベル及び水位レベルに基づいて、次回の予測受信レベルｒ１４が算出される。なお、水位上昇時受信レベル変化値ｒｖは、時刻ｔ１２と時刻ｔ１３の受信レベルの変化量に基づいて算出されてもよい。
【００７７】
図８のフローチャート図に戻り、監視装置３０の予測送信レベル取得部３３は、予測受信レベルｒ１４に基づいて予測送信レベルを算出し、予測送信レベルＤＢ４３に格納する（Ｓ１５）。例えば、予測送信レベル取得部３３は、各観測装置１０について予測受信レベルに対応する予測送信レベルが予め格納される送受信レベルＤＢ４１を参照して、予測送信レベルを取得する。予測送信レベルは、予測受信レベルを通信可能な受信レベルに引き上げる送信レベルを示す。
【００７８】
続いて、監視装置３０の限界送信レベル判定部３４は、算出された予測送信レベルが送信レベルの限界値である限界送信レベル（この例では、最大値１０ｍＷ）を超えるか否かを判定する（Ｓ１６）。限界送信レベルを超えない場合（Ｓ１６のＮＯ）、限界送信レベル判定部３４は、対象の観測装置１０に対して、算出された予測送信レベルまで送信レベルを引き上げる指示を通知する（Ｓ１８）。一方、限界送信レベルを超える場合（Ｓ１６のＹＥＳ）、監視装置３０は、欠測警告を通知する（Ｓ１７）。これは、具体的に、例えば、送信レベルが既に最大値まで上昇されている場合、または、予測送信レベルが最大値より大きい値である場合等を示す。
【００７９】
これにより、監視者は、警告が通知された観測装置１０の次回の水位レベルの送信処理が適切に行われず、水位レベルが欠測する可能性が高いことを検知することができる。このため、水位の上昇により欠測することが避けられない場合であっても、監視者は、欠測する前に欠測警告通知を受けることによって、住民に対する勧告や、作業員の現場への急行指示等の必要な対処を行うことができる。
【００８０】
以上のようにして、本実施の形態例における河川監視システムの観測装置は、周期時間毎に、水位レベル及び無線通信に係る受信レベルを測定する測定手段と、測定した水位レベルを監視装置に送信する送信手段と、制御手段とを有する。観測装置は、制御手段として、受信レベルが低下した場合であって、水位レベルが警戒水位レベルに達したとき、あるいは、周期時間毎の水位レベルに基づく水位変化速度が警戒速度に達したときに、送信レベル自動制御を開始する。送信レベル自動制御では、周期時間毎の水位レベル及び受信レベルに基づいて次回に測定される予測受信レベルが算出され、次回の無線通信に係る送信レベルが、予測受信レベルを通信可能な受信レベルに上昇させる予測送信レベルに設定される。
【００８１】
これにより、本実施の形態例における河川監視システムは、河川の一過性の急激な増水が発生したときに、次回の受信レベルが予測され、予測される受信レベルが通信可能な受信レベルに維持されるように、自動的に送信レベルが引き上げられる。これにより、監視装置における観測装置の水位レベルの欠測が効率的に防止され、適切な河川の監視が行われる。
【００８２】
また、本実施の形態例における河川監視システムは、受信レベルが低下し、水位レベルが警戒水位レベル、あるいは、周期時間毎の水位レベルに基づく水位変化速度が警戒速度に達したときから、当該観測装置について、送信レベルの自動制御を開始する。これにより、送信レベルの自動制御は、自動制御が必要な観測装置についてのみ、必要なタイミングから開始される。このため、的確に欠測が防止されると共に、送信レベルの自動制御を必要としない観測装置については送信レベルの引き上げが行われず、消費電力が抑えられる。
【００８３】
また、本実施の形態例において、警戒水位レベル、または、警戒速度は、複数の観測装置それぞれについて設定される。具体的に、水位レベルの上昇に対応する受信レベルの低下度合いが第１の観測装置（本実施の形態理恵では、観測装置１０−１）より大きい第２の観測装置（本実施の形態理恵では、観測装置１０−３）の警戒水位レベル、または、警戒速度は、第１の観測装置よりも低い値に設定される。
【００８４】
これにより、本実施の形態例の河川監視システムにおいて、水位上昇に対する受信レベルの低下度合いが大きく、その影響を受けやすい観測装置では、他の観測装置よりも、より低い水位レベル、または、より小さい水位変化速度に達したときに送信レベルの自動制御が開始される。これにより、河川の水位の上昇時、受信レベルの低下度合いが大きい観測装置であっても、水位レベルが欠測することが的確に防止される。
【００８５】
一方、本実施の形態例の河川監視システムにおいて、水位上昇に対する受信レベルの低下度合いが低く、その影響を受けにくい観測装置では、低下度合いの大きい観測装置よりも、高い水位レベル、または、大きい水位変化速度に達したときに、送信レベルの自動制御が開始される。これにより、河川の水位の上昇時、受信レベルの低下度合いが小さい観測装置については、送信レベル自動制御の開始が遅らせられ、消費電力が抑えられる。
【００８６】
つまり、各観測装置における水位上昇に対応する受信レベルの低下度合いに基づいて、送信レベル自動制御の対象とする観測装置と、当該観測装置の送信レベル自動制御の開始タイミングが判定される。これにより、河川を挟む無線通信を行う観測装置の水位レベルの欠測がより効果的に防止されると共に、観測装置の消費電力が適切に抑えられる。
【００８７】
また、本実施の形態例における観測装置の制御手段は、予測送信レベルが限界送信レベルを超える場合、送信レベルをあげる代わりに、水位レベル欠測警告を監視装置に通知させる。これにより、水位の上昇により欠測することが避けられない場合であっても、監視者は、欠測する前に欠測警告通知を受けることによって、住民に対する勧告や、作業員の現場への急行指示等の必要な対処を行うことができる。
【００８８】
なお、本実施の形態例における河川監視処理は、コンピュータ読み取り可能な記録媒体にプログラムとして記憶され、当該プログラムをコンピュータが読み出して実行することによって行われてもよい。
【００８９】
以上の実施の形態をまとめると、次の付記のとおりである。
【００９０】
（付記１）
河川に沿って配置され水位レベルを測定する複数の観測装置と、前記観測装置間の河川を挟む無線通信を介して送信される前記水位レベルを監視する監視装置とを有する河川監視システムであって、
前記観測装置は、
周期時間毎に、前記水位レベル及び前記無線通信に係る受信レベルを測定する測定手段と、
前記測定した水位レベルを前記監視装置に送信する送信手段と、
前記受信レベルが低下した場合であって、前記水位レベルが警戒水位レベルに達したとき、あるいは、前記周期時間毎の水位レベルに基づく水位変化速度が警戒速度に達したときに、前記周期時間毎の水位レベル及び受信レベルに基づいて次回に測定される予測受信レベルを算出し、次回の前記無線通信に係る送信レベルを、前記予測受信レベルを通信可能な受信レベルに上昇させる予測送信レベルに設定する送信レベル自動制御を開始する制御手段と、を有する河川監視システム。
【００９１】
（付記２）
付記１において、
前記警戒水位レベル、または、前記警戒速度は、前記複数の観測装置それぞれについて設定され、
前記水位レベルの上昇に対応する前記受信レベルの低下度合いが第１の観測装置より大きい第２の観測装置の前記警戒水位レベル、または、前記警戒速度は、前記第１の観測装置よりも低い値に設定される河川監視システム。
【００９２】
（付記３）
付記１または２において、
前記制御手段は、前記送信レベル自動制御において、
前記予測送信レベルが限界送信レベルを超える場合、前記送信レベルをあげる代わりに、水位レベル欠測警告を前記監視装置に通知させる河川監視システム。
【００９３】
（付記４）
河川近辺に配置され水位レベルを測定する複数の観測装置から、前記観測装置間の河川を挟む無線通信を介して送信される前記水位レベルを監視する河川監視処理をコンピュータに実行させるコンピュータ読み取り可能な河川監視プログラムであって、
前記河川監視処理は、
前記観測装置から、当該観測装置において周期時間毎に測定される前記水位レベル及び前記無線通信に係る受信レベルとを受信する受信工程と、
前記受信レベルが低下した場合であって、前記水位レベルが警戒水位レベルに達したとき、あるいは、前記周期時間毎の水位レベルに基づく水位変化速度が警戒速度に達したときに、前記周期時間毎の水位レベル及び受信レベルに基づいて次回に測定される予測受信レベルを算出し、前記観測装置の無線通信に係る送信レベルを、前記予測受信レベルを通信可能な受信レベルに上昇させる予測送信レベルに設定させる送信レベル自動制御を開始する制御工程と、を有する河川監視プログラム。
【００９４】
（付記５）
河川近辺に配置され水位レベルを測定する複数の観測装置から、前記観測装置間の河川を挟む無線通信を介して送信される前記水位レベルを監視する河川監視方法であって、
前記観測装置から、当該観測装置において周期時間毎に測定される前記水位レベル及び前記無線通信に係る受信レベルとを受信する受信工程と、
前記受信レベルが低下した場合であって、前記水位レベルが警戒水位レベルに達したとき、あるいは、前記周期時間毎の水位レベルに基づく水位変化速度が警戒速度に達したときに、前記周期時間毎の水位レベル及び受信レベルに基づいて次回に測定される予測受信レベルを算出し、前記観測装置の無線通信に係る送信レベルを、前記予測受信レベルを通信可能な受信レベルに上昇させる予測送信レベルに設定させる送信レベル自動制御を開始する制御工程と、を有する河川監視方法。
【符号の説明】
【００９５】
１０−１〜１０−６：観測装置、２０−１、２０−２：中継装置、３０：監視装置、１００：河川
【図１】
0005888039.tif 000002
【図２】
0005888039.tif 000003
【図３】
0005888039.tif 000004
【図４】
0005888039.tif 000005
【図５】
0005888039.tif 000006
【図６】
0005888039.tif 000007
【図７】
0005888039.tif 000008
【図８】
0005888039.tif 000009
【図９】
0005888039.tif 000010
【図１０】
0005888039.tif 000011